(57)【特許請求の範囲】
【請求項１】
ローカルエリアネットワーク上でのデータのやりとりの機能と、公衆網を介して行うファクシミリ伝送手順によるファクシミリデータのやりとりの機能を備えるとともに、ファクシミリ伝送手順により受信するサブアドレス情報と、そのサブアドレス情報に対応したネットワークアドレスを関連づけて記憶したアドレス変換テーブルを備え、公衆網を介して受信した画情報を、その画情報受信時に相手端末より通知されたサブアドレス情報に対応して上記アドレス変換テーブルに記憶されているネットワークアドレスの宛先端末に、ローカルエリアネットワークを介して配信するネットワークファクシミリ装置の制御方法において、
上記公衆網を介して受信した画情報を蓄積する一方、
画情報受信時に相手端末より通知されたサブアドレス情報に対応して上記アドレス変換テーブルに記憶されているネットワークアドレスの宛先端末に、配布するファクシミリ文書を記憶していることを通知する着信通知メールを送信し、
ＨＴＴＰサーバ機能により、蓄積した画情報を上記宛先端末に配信し、
所定の保存期限を経過すると、上記蓄積した画情報を消去することを特徴とするネットワークファクシミリ装置の制御方法。
【請求項２】
前記着信通知メールには、少なくとも、配信するファクシミリ文書のファイル名、ＨＴＴＰサーバのＵＲＬ、および、受信日時から起算した所定の保存期限を通知する内容を含むことを特徴とする請求項１記載のネットワークファクシミリ装置の制御方法。
【請求項３】
前記所定の保存期限を経過したために、前記蓄積した画情報を消去する際には、その直前に、上記蓄積した画情報の原稿を記録出力することを特徴とする請求項１または請求項２記載のネットワークファクシミリ装置。
【発明の詳細な説明】
【０００１】
【発明の属する技術分野】
本発明は、ローカルエリアネットワーク上でのデータのやりとりの機能と、公衆網を介して行うファクシミリ伝送手順によるファクシミリデータのやりとりの機能を備えるとともに、ファクシミリ伝送手順により受信するサブアドレス情報と、そのサブアドレス情報に対応したネットワークアドレスを関連づけて記憶したアドレス変換テーブルを備え、公衆網を介して受信した画情報を、その画情報受信時に相手端末より通知されたサブアドレス情報に対応して上記アドレス変換テーブルに記憶されているネットワークアドレスの宛先端末に、ローカルエリアネットワークを介して配信するネットワークファクシミリ装置の制御方法に関する。
【０００２】
【従来の技術】
近年、ローカルエリアネットワーク上でのデータのやりとりの機能と、公衆網を介して行うファクシミリ伝送手順によるファクシミリデータのやりとりの機能を備えるとともに、ファクシミリ伝送手順により受信するサブアドレス情報と、そのサブアドレス情報に対応したメールアドレス等のネットワークアドレスを関連づけて記憶したアドレス変換テーブルを備え、公衆網を介して受信した画情報を、その画情報受信時に相手端末より通知されたサブアドレス情報に対応して上記アドレス変換テーブルに記憶されているネットワークアドレス（メールアドレス）の宛先端末に、ローカルエリアネットワークを介して送信するネットワークファクシミリ装置が提案されている。
【０００３】
このようなネットワークファクシミリ装置を利用すると、ローカルエリアネットワークに接続したワークステーション装置に対し、公衆網に接続されているファクシミリ装置からの画情報を配信することができるので、ファクシミリネットワークの利用性を大幅に拡大することができ、非常に便利である。
【０００４】
また、接続されたローカルエリアネットワークが、インターネットに接続されている場合には、インターネットを介して他のローカルエリアネットワークに接続された端末装置に対しても画情報送信動作を行うことができることになる。
【０００５】
【発明が解決しようとする課題】
ところで、従来では、ネットワークファクシミリ装置から配信先のユーザへの受信画情報の配信は、ローカルエリアネットワークの電子メール機能を用いて行っている。
【０００６】
そのため、特に、１つのサブアドレスが複数のユーザに対応している場合には、データ量の大きい画情報を運ぶ複数の電子メールがローカルエリアネットワークを介して伝送されるので、電子メールを配信する電子メール機能を分担するメールサーバの負担が大きくなり、他の電子メール配信サービスに影響を及ぼすおそれがある。
【０００７】
本発明は、かかる実情に鑑みてなされたものであり、メールサーバの負担を軽減することができるネットワークファクシミリ装置の制御方法を提供することを目的としている。
【０００８】
【課題を解決するための手段】
本発明は、ローカルエリアネットワーク上でのデータのやりとりの機能と、公衆網を介して行うファクシミリ伝送手順によるファクシミリデータのやりとりの機能を備えるとともに、ファクシミリ伝送手順により受信するサブアドレス情報と、そのサブアドレス情報に対応したネットワークアドレスを関連づけて記憶したアドレス変換テーブルを備え、公衆網を介して受信した画情報を、その画情報受信時に相手端末より通知されたサブアドレス情報に対応して上記アドレス変換テーブルに記憶されているネットワークアドレスの宛先端末に、ローカルエリアネットワークを介して配信するネットワークファクシミリ装置の制御方法において、上記公衆網を介して受信した画情報を蓄積する一方、画情報受信時に相手端末より通知されたサブアドレス情報に対応して上記アドレス変換テーブルに記憶されているネットワークアドレスの宛先端末に、配布するファクシミリ文書を記憶していることを通知する着信通知メールを送信し、ＨＴＴＰサーバ機能により、蓄積した画情報を上記宛先端末に配信し、所定の保存期限を経過すると、上記蓄積した画情報を消去するようにしたものである。また、前記着信通知メールには、少なくとも、配信するファクシミリ文書のファイル名、ＨＴＴＰサーバのＵＲＬ、および、受信日時から起算した所定の保存期限を通知する内容を含むようにするとよい。また、前記所定の保存期限を経過したために、前記蓄積した画情報を消去する際には、その直前に、上記蓄積した画情報の原稿を記録出力するようにするとよい。
【００１０】
【発明の実施の形態】
以下、添付図面を参照しながら、本発明の実施の形態を詳細に説明する。
【００１１】
図１は、本発明の一実施例にかかるネットワークシステムを示している。
【００１２】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されている。
【００１３】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、電子メール（後述）の収集および配布のサービスを提供するものである。
【００１４】
また、ワークステーション装置ＷＳ１〜ＷＳｎには、ローカルエリアネットワークＬＡＮを介して種々のデータのやりとりを行うアプリケーションソフトウェア（電子メール送受信やＦＴＰアクセス処理等）や、ネットワークファクシミリ装置ＦＸより受信した電子メールに含まれる画情報を処理するアプリケーションソフトウェアなどの種々のプログラムが導入されており、特定のユーザにより使用されるものである。ここで、特定のユーザは、一人または複数人のユーザであってよい。
【００１５】
また、ネットワークファクシミリ装置ＦＸは、ローカルエリアネットワークＬＡＮにおける電子メールの送受信機能やＦＴＰサーバ機能と、公衆網（ＰＳＴＮ）に接続し、この公衆網を伝送路として用いてグループ３ファクシミリ伝送手順による画情報伝送を行う伝送機能を備えている。
【００１６】
さて、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。また、ファイルデータの転送は、ＨＴＴＰ（Ｈｙｐｅｒ  Ｔｅｘｔ  Ｔｒａｎｓｆｅｒ  Ｐｒｏｔｏｃｏｌ）という通信プロトコルが適用される。
【００１７】
また、本実施例では、電子メールは、メールサーバ装置ＳＭにいったん蓄積された後に宛先へと配信される蓄積配信型の伝送形態で送信される。
【００１８】
すなわち、例えば、ネットワークファクシミリ装置ＦＸからワークステーション装置ＷＳ１のユーザへの電子メールは、メールサーバ装置ＳＭにいったん蓄積される。
【００１９】
一方、ワークステーション装置ＷＳ１〜ＷＳｎおよびネットワークファクシミリ装置ＦＸは、適宜な周期でメールサーバ装置ＳＭに対して、自端末のユーザ宛の電子メール受信の問い合わせを行い、ユーザ宛の電子メールがメールサーバ装置ＳＭに蓄積されているときには、メールサーバ装置ＳＭよりその電子メールを受信して、自端末ユーザにその旨を通知する。
【００２０】
したがって、この場合には、ワークステーション装置ＷＳ１は、メールサーバ装置ＳＭに自端末のユーザ宛の電子メール受信の問い合わせを行った際に、自端末のユーザ宛の電子メールがメールサーバ装置ＳＭに蓄積されていることが通知されるので、その電子メールを受信して、適宜な方法でその旨をユーザに対して通知する。
【００２１】
そして、この通知を受けたユーザは、その電子メールの内容を読み出して、内容を確認する。
【００２２】
ここで、各端末がメールサーバ装置ＳＭに対して、ユーザ宛の電子メールの受信確認や送信要求などのために適用するプロトコルとしては、いわゆるＰＯＰ（Ｐｏｓｔ  Ｏｆｆｉｃｅ  Ｐｒｏｔｏｃｏｌ）などを適用することができる。
【００２３】
一方、本実施例では、ネットワークファクシミリ装置ＦＸからワークステーション装置ＷＳ１〜ＷＳｎの各ユーザへの受信画情報の配信は、ＨＴＴＰが適用される。
【００２４】
すなわち、この場合、ネットワークファクシミリ装置ＦＸは、配信先のユーザへ、画情報を受信した旨を通知する受信通知の電子メール（以下、着信通知メールという）を送信する。その着信通知メールを受信したユーザは、自分が使用するワークステーション装置ＷＳ１〜ＷＳｎのＷＷＷ（Ｗｏｒｌｄ  Ｗｉｄｅ  Ｗｅｂ）閲覧ソフト（ＷＷＷブラウザーソフト等）を起動して、着信通知メールで通知されたＵＲＬ（Ｕｎｉｆｏｒｍ  Ｒｅｓｏｕｒｃｅ  Ｌｏｃａｔｏｒ）へアクセスし、自分宛のファクシミリ画情報の内容を表示させて確認する。これにより、ユーザは、自分宛のファクシミリ文書の内容を確認することができる。
【００２５】
ここで、ＴＣＰ／ＩＰ，ＳＭＴＰ，ＰＯＰ，ＨＴＴＰなどの通信プロトコル、ＵＲＬの定義、および、電子メールのデータ形式やデータ構造などについては、それぞれＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２、ＰＯＰはＲＦＣ１７２５でそれぞれ規定されている。
【００２６】
図２は、ネットワークファクシミリ装置ＦＸの構成例を示している。
【００２７】
同図において、システム制御部１は、このファクシミリ装置の各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このファクシミリ装置に固有な各種の情報を記憶するためのものであり、時計回路４は、現在時刻情報を出力するものである。
【００２８】
スキャナ５は、所定の解像度で原稿画像を読み取るためのものであり、プロッタ６は、所定の解像度で画像を記録出力するためのものであり、操作表示部７は、このファクシミリ装置を操作するためのもので、各種の操作キー、および、各種の表示器からなる。
【００２９】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００３０】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００３１】
網制御装置１１は、このファクシミリ装置を国際電話回線網ＰＳＴＮに接続するためのものであり、自動発着信機能を備えている。
【００３２】
ローカルエリアネットワークインターフェース回路１２は、このインターネットファクシミリ装置をローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理（電子メール送受信処理やＨＴＴＰサーバ処理等）を実行するためのものである。
【００３３】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００３４】
また、網制御装置１１とグループ３ファクシミリモデム１０との間のデータのやりとりは、直接行なわれている。
【００３５】
さて、ネットワークファクシミリ装置ＦＸは、ファクシミリ伝送手順により受信するサブアドレス情報と、そのサブアドレス情報に対応したメールアドレスを関連づけて記憶したアドレス変換テーブルを備え、公衆網を介して受信した画情報を、その画情報受信時に相手端末より通知されたサブアドレス情報に対応してアドレス変換テーブルに記憶されているメールアドレスの宛先端末に、ローカルエリアネットワークＬＡＮを介して配信する。
【００３６】
このようなファクシミリ画情報の配信のためのアドレス変換テーブルの一例を図３に示す。
【００３７】
このアドレス変換テーブルは、おのおののサブアドレスについて、それぞれの配信先を識別するためのＩＤ、サブアドレス、および、配信先のユーザのメールアドレスを組にして記憶するものである。
【００３８】
ここで、１つのサブアドレスには、複数のメールアドレスを含むことができ、メールアドレスには、グループアドレスも含まれる。ここで、「グループアドレス」とは、例えば、メールサーバ装置ＳＭで、１つのメールアドレスに複数ユーザのメールアドレスが登録されているようなメールアドレスである。
【００３９】
したがって、このグループアドレスを宛先に指定すると、そのメールアドレスに登録されている全てのユーザに対して、同一文面の電子メールが配信される。同様にして、本実施例では、受信時に指定されたサブアドレスが、このグループアドレスに対応している場合には、そのグループアドレスに登録されている全てのユーザに対して、同一の画情報が配信されることとなる。
【００４０】
なお、このように、メールサーバ装置ＳＭにおいて、１つのメールアドレスに対して他のメールアドレスが登録される場合の他の例としては、いわゆる、アライアス（別名）アドレスがある。
【００４１】
さて、ネットワークファクシミリ装置ＦＸは、画情報を受信する際、その画情報を蓄積するための特定のディレクトリを画像蓄積装置９に作成し、その作成したディレクトリ内に、受信した画情報をページ単位に蓄積する。
【００４２】
また、ネットワークファクシミリ装置ＦＸは、蓄積した受信画情報の配信状態を管理するために、図５に示すような配信管理テーブルを作成する。
【００４３】
この配信管理テーブルの１つの要素は、おのおのの画情報を保存したディレクトリを記憶するためのディレクトリ名、配信する画情報に対応したＦＡＸ文書ＩＤ、および、受信日時から定められる画情報を保存する保存期限からなる。
【００４４】
ここで、保存期限は、例えば、受信日時から７日後の日時に設定される。
【００４５】
図５は、着信通知メールの本文の一例を示している。
【００４６】
この着信通知メールの本文は、基本的に、受信通知案内と、画情報受信のための情報の提供、および、期限経過後の画情報の消去予告を目的とする内容となっている。
【００４７】
ここで、本文中の「［配信先］」には、通知されたサブアドレス情報に対応したアドレス変換テーブルの要素の１つの「配信先」の内容が配置され、「［受信日時］」には、その画情報の受信日時の値が配置され、「［ＴＳＩ］」には、その画情報の送信端末より通知された送信端末識別情報ＴＳＩの内容が配置され、「［ソースディレクトリ］」には、配信管理テーブルの「ディレクトリ名」の内容が配置され、「［ＦＡＸ文書ＩＤ］」には、配信管理テーブルの「ＦＡＸ文書ＩＤ」の値が配置され、「［保存期限］」には、配信管理テーブルの「保存期限」の内容が配置される。
【００４８】
図７は、「［配信先］」が「ｕｓｅｒ１＠＊＊＊．ｃｏ．ｊｐ」、「［受信日時］」が「Ｔｕｅ，１５  Ａｐｒ  １９９７  １５：００：００」、「［ＴＳＩ］」が「８４１２３４５６７」、「［保存期限］」が「Ｔｕｅ，２２  Ａｐｒ  １９９７  １５：００：００」、「［ＦＡＸ文書ＩＤ］」が「９６６２１１５００．ＡＡ００５６３」の場合に、ユーザに送信される着信通知メールの一例を示している。
【００４９】
また、この場合、ヘッダ情報の「Ｍｅｓｓａｇｅ−ＩＤ」フィールドには、ＦＡＸ文書ＩＤを確認できる値がセットされ、「Ｆｒｏｍ」フィールドには、送信元の送信端末識別情報ＴＳＩを確認できる内容がコメントとして配置され、「Ｓｕｂｊｅｃｔ」フィールドには、ＦＡＸ文書ＩＤを確認できる内容が配置される。
【００５０】
なお、この着信通知メールは、いわゆるＭＩＭＥ（ＭｕｌｔｉｐｕｒｐｏｓｅＩｎｔｅｒｎｅｔ  Ｍａｉｌ  Ｅｘｔｅｎｓｉｏｎｓ（多目的メール）；ＲＦＣ１５２１，ＲＦＣ１５２２）形式のものである。
【００５１】
図８は、ユーザがＷＷＷブラウザーを利用して、ＨＴＴＰサーバに保存されているファイルを閲覧する際の手順の一例を示している。なお、同図における「クライアント」および「ＨＴＴＰサーバー」は、本実施例では、ユーザが使用するワークステーション装置ＷＳ１〜ＷＳｎ、および、ネットワークファクシミリ装置ＦＸに相当する。
【００５２】
まず、クライアントは、ＨＴＴＰサーバーに対して接続要求のためのコネクション要求信号を送出し、続いて、クライアントは、ＨＴＴＰサーバーに対して、転送要求するファイル名のＵＲＬを通知するためのファイル転送要求信号を送出し、ＨＴＴＰサーバーは、そのときに通知されたＵＲＬのファイルを読み出し、所定の転送手順に従って、そのファイルデータをクライアントに送信する。
【００５３】
そして、ＨＴＴＰサーバーは、ファイル転送を終了すると、クライアントに切断要求を発行し、１つのファイル転送を終了する。
【００５４】
このようにして、ＨＴＴＰでのファイル転送は、リクエスト（要求）とレスポンス（応答）からなり、この単位で独立していて、１回ごとに接続が切断される。また、リクエストには、転送要求するファイルのＵＲＬが含まれる。
【００５５】
以上の構成で、公衆網ＰＳＴＮより着呼されると、ネットワークファクシミリ装置ＦＸは、図９に示したような処理を実行する。
【００５６】
まず、着信応答して（処理１０１）、所定のグループ３ファクシミリ伝送手順の伝送前手順を実行して（処理１０２）、そのときに使用する伝送機能などを設定する。
【００５７】
また、その伝送前手順において、サブアドレス信号ＳＵＢを受信したかどうかを調べ（判断１０３）、サブアドレス信号ＳＵＢを受信していない場合で、判断１０３の結果がＮＯになるときには、通常の着信時処理を実行して（処理１０４）、この着信時の動作を終了する。
【００５８】
また、サブアドレス信号ＳＵＢを受信した場合で、判断１０３の結果がＹＥＳになるときには、モデムトレーニング手順を実行して（処理１０５）、そのときに使用するモデム速度を決定し、受信画情報を蓄積するディレクトリを画像蓄積装置９に作成する等、画情報保存のための準備を行った後（処理１０６）、画情報受信手順を実行し、画情報を受信して、受信した画情報をページ単位に画像蓄積装置９に作成したディレクトリに蓄積する（処理１０７）。
【００５９】
画情報受信動作を終了すると、所定の伝送後手順を実行した後に（処理１０８）、回線を復旧する（処理１０９）。
【００６０】
次いで、そのときに受信したサブアドレス信号ＳＵＢの内容に基づいて、アドレス変換テーブルを参照し、着信通知先（配信先）を判定し（処理１１０）、上述したような着信通知メールの本文情報およびヘッダ情報を作成し（処理１１１）、その作成した着信通知メールを送信する（処理１１２）。
【００６１】
そして、そのときに蓄積した画情報について、上述した配信管理テーブルを作成して（処理１１３）、画像蓄積装置９に蓄積した画情報をインライン・イメージ（埋め込み型画像）として参照できるようにするためのＨＴＭＬ（ＨｙｐｅｒＴｅｘｔ  Ｍａｒｋ  ｕｐ  Ｌａｎｇｕａｇｅ）文書を作成して画像蓄積装置９に保存し（処理１１４）、この着信時の処理を終了する。
【００６２】
図９は、ネットワークファクシミリ装置ＦＸが実行するＨＴＴＰサーバ処理の一例を示している。
【００６３】
まず、いずれかのクライアントより接続要求信号を受信すると、続いて、ファイル転送要求（ＵＲＬ付き）を受信する（処理２０１）。次いで、そのときに受信したＵＲＬのＨＴＭＬファイルが画像蓄積装置９に蓄積されているかどうかを調べる（処理２０２、判断２０３）。
【００６４】
そのときに受信したＵＲＬのＨＴＭＬファイルが画像蓄積装置９に蓄積されている場合で、判断２０３の結果がＹＥＳになるときには、そのときに受信したＵＲＬのＨＴＭＬファイルを所定の転送手順に従ってクライアントに送信する（処理２０４、判断２０５のＮＯループ）。
【００６５】
そのファイル転送を終了すると（判断２０５の結果がＹＥＳ）、切断要求をクライアントに送出して（処理２０６）、このファイル転送処理を終了する。
【００６６】
また、そのときに受信したＵＲＬのＨＴＭＬファイルが画像蓄積装置９に蓄積されていない場合で、判断２０３の結果がＮＯになるときには、処理２０６に移行し、切断要求をクライアントに送出して、このときのファイル転送処理を終了する。
【００６７】
ところで、一般に、ファクシミリ文書はデータ容量が大きく、画像蓄積装置９の容量を圧迫するので、大量のファクシミリ文書を無制限に蓄積しておくことは好ましくない。
【００６８】
そこで、本実施例では、保存期限が経過した時点で、それぞれ画像蓄積装置９から消去して、画像蓄積装置９を有効に活用できるようにしている。また、この場合、保存期限が経過したファクシミリ文書を消去するときには、その消去に先立ち、そのファクシミリ文書の内容を記録出力することで、消去したファクシミリ文書をハードコピーとして残すことができ、ファクシミリ文書を受信していないユーザに対して、ファクシミリ文書を提示することができる。
【００６９】
図１０は、この場合に、ネットワークファクシミリ装置ＦＸが、画像蓄積装置９に蓄積しているファクシミリ文書を消去するときの処理例を示している。
【００７０】
まず、画像蓄積装置９に１つ以上のＦＡＸ文書が保存されているかどうかを調べる（判断３０１）。画像蓄積装置９に１つもＦＡＸ文書が保存されていない場合で、判断３０１の結果がＮＯになるときには、この処理を終了する。
【００７１】
画像蓄積装置９に１つ以上のＦＡＸ文書が保存されている場合で、判断３０１の結果がＹＥＳになるときには、１つのＦＡＸ文書を選択し（処理３０２）、その配信管理テーブルの保存期限欄の内容が、現在日時よりも古い値になっているかどうかを調べる（処理３０３、判断３０４）。
【００７２】
その配信管理テーブルの保存期限欄の内容が、現在日時よりも古い値になっている場合で、判断３０４の結果がＹＥＳになるときには、そのファクシミリ文書を読み出して復号化し、元の画像データを形成し、その画像データをプロッタ６に転送して、受信原稿を記録出力し（処理３０５）、そのＦＡＸ文書を画像蓄積装置９より消去する（処理３０６）。また、その配信管理テーブルの保存期限欄の内容が、現在日時よりも古い値になっていない場合で、判断３０４の結果がＮＯになるときには、処理３０５，３０６を実行しない。
【００７３】
そして、全てのＦＡＸ文書についての処理が終了したかどうかを調べ（判断３０７）、判断３０７の結果がＮＯになるときには、処理３０２に戻り、次のＦＡＸ文書について、同様の処理を実行する。また、判断３０７の結果がＹＥＳになるときには、この処理を終了する。
【００７４】
ところで、上述した実施例では、ＦＡＸ文書からＨＴＭＬファイルを作成する際の処理について具体的に説明しなかったが、この処理の際に、ＦＡＸ文書の画像の符号化方式をＭＨ符号化方式、ＭＲ符号化方式またはＭＭＲ符号化方式からＷＷＷブラウザーが標準的に取り扱える画像形式に変換することもできる。なお、この画像形式のファイル変換を行わなかった場合でも、例えば、ＷＷＷブラウザー側でＦＡＸ文書を表示できる機能を備えるようにすることで、ＷＷＷブラウザーを用いて、ＦＡＸ文書を閲覧することができる。
【００７５】
また、ＦＡＸ文書が複数ページの場合、ＷＷＷブラウザーの操作で各ページを切換表示できるように、ＨＴＭＬファイルに適宜なタグを付加すると、ＦＡＸ文書閲覧の際の操作を円滑に行うことができるようになる。
【００７６】
また、ＦＡＸ文書は、複数の解像度を選択することができるが、この解像度の違いとＷＷＷブラウザーでの表示解像度の違いを吸収する処理は、適宜にＷＷＷブラウザー側に持たせることができる。また、ＨＴＭＬファイルに、ＦＡＸ文書の解像度（と符号化方式）をページ毎に指定するコメント文等を設けると、ＷＷＷブラウザー側での処理を適切に行えるようになる。
【００７７】
なお、上述した実施例では、ユーザの認証を行わずに、ＨＴＭＬファイルの転送を行えるようにしているが、このＨＴＭＬファイル転送の際にユーザ認証を行うようにすることもできる。
【００７８】
【発明の効果】
以上説明したように、本発明によれば、ネットワークファクシミリ装置からユーザへの画情報の配信は、ＨＴＴＰサーバ機能を適用して行っているので、画情報配信時に電子メールを利用せず、よって、メールサーバ装置の負担を大幅に軽減することができ、電子メールの運用を円滑に行うことができるという効果を得る。
【００７９】
また、おのおののファクシミリ文書については、保存期限が経過した時点で、それぞれ消去しているので、画像蓄積手段を有効に活用できるという効果も得る。
【００８０】
また、保存期限が経過したファクシミリ文書を消去するときには、その消去に先立ち、そのファクシミリ文書の内容を記録出力しているので、消去したファクシミリ文書をハードコピーとして残すことができ、ファクシミリ文書を受信していないユーザに対して、ファクシミリ文書を提示することができるという効果も得る。
【図面の簡単な説明】
【図１】本発明の一実施例にかかるネットワークシステムを示したブロック図。
【図２】ネットワークファクシミリ装置ＦＸの構成例を示したブロック図。
【図３】アドレス変換テーブルの一例を示した概略図。
【図４】配信管理テーブルの一例を示した概略図。
【図５】着信通知メールの本文の一例を示した概略図。
【図６】着信通知メールの一例を示した概略図。
【図７】ＨＴＴＰサーバーによるファイル転送手順の一例を示したタイムチャート。
【図８】ネットワークファクシミリ装置の着信時の処理の一例を示したフローチャート。
【図９】ネットワークファクシミリ装置が実行するＨＴＴＰサーバ処理の一例の一部を示したフローチャート。
【図１０】文書消去処理の一例を示したフローチャート。
【図１】
0003543907.tif 000002
【図２】
0003543907.tif 000003
【図３】
0003543907.tif 000004
【図４】
0003543907.tif 000005
【図５】
0003543907.tif 000006
【図６】
0003543907.tif 000007
【図７】
0003543907.tif 000008
【図８】
0003543907.tif 000009
【図９】
0003543907.tif 000010
【図１０】
0003543907.tif 000011